(57)【要約】【課題】ダクトの通風状態及びチューブ及びダクトの接続状態の判定精度を向上させ得る燃焼装置等を提供する。【課題を解決するための手段】本発明の一実施形態である温風暖房装置によれば、第１判定値設定ユニット５１により、ダクト２０が無風状態であるときの差圧センサ８２の出力値に基づく「絶対オフセット値」、又は絶対オフセット値に第１所定値（＞０）が加算された値が、「第１判定値」として設定される。また、第２判定値設定ユニット５２により、運転開始に伴う燃焼ファン７１の作動開始前の差圧センサ８２の出力値に基づく「相対オフセット値」に、第２所定値（＞第１所定値）が加算された値が「第２判定値」として設定される。そして、第１判定ユニット５３により、第１判定値に基づいてダクト２０の通風状態の正常・異常が判定される。また、第２判定ユニット５４により、第２判定値に基づいてチューブ８１の接続状態の正常・異常が判定される。【選択図】  図１
2005083678.tif 000002
【特許請求の範囲】
【請求項１】
バーナと、ファンと、該ファンの作動により該バーナの燃焼用空気又は燃焼排気が流れるダクトと、該ダクトに形成されたオリフィスと、該オリフィスの上流及び下流で該ダクトにそれぞれ接続されたチューブと、該チューブを介して該オリフィスの上流側及び下流側における該ダクトの差圧に応じて出力する差圧センサと、該ファン作動中の該差圧センサの出力値が第１判定値以下であるか否かに応じて該ダクトの通風状態の正常・異常を判定する第１判定手段と、該ファン作動中の該差圧センサの出力値が第２判定値以上であるか否かに応じて該チューブ及び該ダクトの接続状態の正常・異常を判定する第２判定手段とを備えた燃焼装置であって、
前記ダクトが無風状態であるときの前記差圧センサの出力値に基づく絶対オフセット値、又は該絶対オフセット値に第１所定値が加算された値を、第１判定値として設定する第１判定値設定手段と、
運転開始に伴う前記ファンの作動開始前の前記差圧センサの出力値に基づく相対オフセット値に第２所定値が加算された値を、第２判定値として設定する第２判定値設定手段とを備えていることを特徴とする燃焼装置。
【請求項２】
第１判定値設定手段により第１判定値が設定されるとき、前記ダクトを遮断するダンパを備えていることを特徴とする請求項１記載の燃焼装置。
【請求項３】
第１判定手段により前記ダクトの通風状態が異常であると判定された場合、又は第２判定手段により前記チューブとダクトとの接続状態が異常であると判定された場合、前記バーナの燃焼を禁止する燃焼制御手段を備えていることを特徴とする請求項１又は２記載の燃焼装置。
【請求項４】
第１判定手段により前記ダクトの通風状態が異常であると判定された場合、又は第２判定手段により前記チューブとダクトとの接続状態が異常であると判定された場合、第１又は第２判定手段による判定結果を報知する報知手段を備えていることを特徴とする請求項１、２又は３記載の燃焼装置。
【請求項５】
バーナと、ファンと、該ファンの作動により該バーナの燃焼用空気又は燃焼排気が流れるダクトと、該ダクトに形成されたオリフィスと、該オリフィスの上流及び下流で該ダクトにそれぞれ接続されたチューブと、該チューブを介して該オリフィスの上流側及び下流側における該ダクトの差圧に応じて出力する差圧センサと、該ファン作動中の該差圧センサの出力値が第１判定値以下であるか否かに応じて該ダクトの通風状態の正常・異常を判定する第１判定手段と、該ファン作動中の該差圧センサの出力値が第２判定値以上であるか否かに応じて該チューブ及び該ダクトの接続状態の正常・異常を判定する第２判定手段とを備えた燃焼装置の調整方法であって、
前記ダクトが無風状態であるときの前記差圧センサの出力値に基づく絶対オフセット値、又は該絶対オフセット値に第１所定値が加算された値を、第１判定値として設定し、
運転開始に伴う前記ファンの作動開始前の前記差圧センサの出力値に基づく相対オフセット値に第２所定値が加算された値を、第２判定値として設定することを特徴とする方法。
【請求項６】
バーナと、ファンと、該ファンの作動により該バーナの燃焼用空気又は燃焼排気が流れるダクトと、該ダクトに形成されたオリフィスと、該オリフィスの上流及び下流で該ダクトにそれぞれ接続されたチューブと、該チューブを介して該オリフィスの上流側及び下流側における該ダクトの差圧に応じて出力する差圧センサと、該ファン作動中の該差圧センサの出力値が第１判定値以下であるか否かに応じて該ダクトの通風状態の正常・異常を判定する第１判定手段と、該ファン作動中の該差圧センサの出力値が第２判定値以上であるか否かに応じて該チューブ及び該ダクトの接続状態の正常・異常を判定する第２判定手段とを備えた燃焼装置の調整用プログラムであって、
前記ダクトが無風状態であるときの前記差圧センサの出力値に基づく絶対オフセット値、又は該絶対オフセット値に第１所定値が加算された値を、第１判定値として設定する機能と、
運転開始に伴う前記ファンの作動開始前の前記差圧センサの出力値に基づく相対オフセット値に第２所定値が加算された値を、第２判定値として設定する機能とをコンピュータに付与することを特徴とするプログラム。
【発明の詳細な説明】
【技術分野】
【０００１】
本発明は、燃焼装置、その調整方法、及び調整用プログラムに関する。
【０００２】
具体的に本発明は、バーナと、ファンと、該ファンの作動により該バーナの燃焼用空気又は燃焼排気が流れるダクトと、該ダクトに形成されたオリフィスと、該オリフィスの上流及び下流で該ダクトにそれぞれ接続されたチューブと、該チューブを介して該オリフィスの上流側及び下流側における該ダクトの差圧に応じて出力する差圧センサと、該ファン作動中の該差圧センサの出力値が第１判定値以下であるか否かに応じて該ダクトの通風状態の正常・異常を判定する第１判定手段と、該ファン作動中の該差圧センサの出力値が第２判定値以上であるか否かに応じて該チューブ及び該ダクトの接続状態の正常・異常を判定する第２判定手段とを備えた燃焼装置、その調整方法及び調整用プログラムに関する。
【背景技術】
【０００３】
この種の燃焼装置において、ダクトの吸気口又は排気口付近の積雪等のために閉塞度が増大した場合、ダクトの風量、ひいては燃焼用空気が不足するためにバーナの不完全燃焼が生じやすくなる。
【０００４】
そこで、プリパージ時やバーナ燃焼中にダクトの通風状態が正常であるか異常（閉塞状態）であるかが判定され、ダクトの通風状態が異常であると判定されたとき、バーナの燃焼が禁止されるように構成された燃焼装置が提案されている（例えば、特許文献１参照）。
【０００５】
ダクトの通風状態が正常であるか異常であるかは、ダクト中のオリフィスの上流側及び下流側におけるダクトの差圧に応じた差圧センサの出力値に基づき判定される。オリフィスの上流側及び下流側におけるダクトの差圧は、ダクトの閉塞度が大きくなり、ダクトの風量が減少するにつれて減少する。従って、差圧センサの出力値が第１判定値を下回った場合、ダクトの通風状態が異常である、すなわち、ダクトが閉塞状態であると判定され得る。
【０００６】
また、オリフィスの上流側及び下流側にはそれぞれチューブが接続され、このチューブを介してオリフィスの上流側及び下流側におけるダクトの差圧に応じた信号を出力する差圧センサが設けられている。チューブがダクトから外れたり、ひしゃげていると、ダクトの風量に応じた出力をすることができなくなり、ひいてはダクトの通風状態が判定され得ない。
【０００７】
そこで、ダクトの通風状態の判定精度向上の観点から、チューブとダクトとの接続状態が正常か異常か、すなわち、差圧センサがオリフィスの上流側及び下流側におけるダクトの差圧に応じた信号を出力し得る状態にあるか否かが判定される。
【０００８】
例えば、チューブがオリフィスの下流側でダクトから外れたりひしゃげてつぶれている場合、チューブの下流側の気圧が著しく低下し、あたかもダクトの風量が著しく増大したかのように差圧センサの出力値が増大する。
【０００９】
従って、チューブとダクトとの接続状態が正常か異常かは、ファン作動中の差圧センサの出力値に基づいて判断され得る。具体的には、差圧センサの出力値が第２判定値を超えたか否かに応じて、チューブとダクトとの接続状態が正常であるか異常であるかが判定され得る。
【特許文献１】特開２０００−３１０４１８号公報
【発明の開示】
【発明が解決しようとする課題】
【００１０】
しかし、差圧センサの出力値には、ファンが停止中であってもダクトを流れる風に応じたオフセット値が含まれている。また、第１及び第２判定値は、ファン停止中の差圧センサの出力値（オフセット値）を基準値として設定される。このため、ダクトの通風状態の判定精度が低下したり、チューブとダクトとの接続状態の判定精度が低下するおそれがある。
【００１１】
すなわち、第１判定値の設定時のオフセット値が高いと、その分だけ第１判定値が高めに設定される。このため、ファンの作動中においてそのときのオフセット値に相当する値が低くなった場合、ダクトの通風状態が正常であるにも関わらず差圧センサの出力値が低下して第１判定値以下となる可能性が高くなる。これでは、ダクトの通風状態の正常・異常の判定精度が低下してしまう。
【００１２】
また、第２判定値の設定時のオフセット値が、ファン作動中のオフセット値よりも小さいと、その分だけ第２判定値が低めに設定される。このため、チューブとダクトとの接続状態が正常であるにも関わらず差圧センサの出力が増大して第２判定値を超えてしまう可能性が高くなる。また、ファンの作動とは無関係にダクト内に流れ込む風がさらに強くなると、オフセット値そのものが第２判定値以上となる場合がある。これでは、チューブとダクトとの接続状態の正常・異常の判定精度が低下してしまう。
【００１３】
そこで、本発明は、ダクトの通風状態及びチューブ及びダクトの接続状態の判定精度を向上させ得る燃焼装置、その調整方法及び調整用プログラムを提供することを解決課題とする。
【課題を解決するための手段】
【００１４】
本発明は、バーナと、ファンと、該ファンの作動により該バーナの燃焼用空気又は燃焼排気が流れるダクトと、該ダクトに形成されたオリフィスと、該オリフィスの上流及び下流で該ダクトにそれぞれ接続されたチューブと、該チューブを介して該オリフィスの上流側及び下流側における該ダクトの差圧に応じて出力する差圧センサと、該ファン作動中の該差圧センサの出力値が第１判定値以下であるか否かに応じて該ダクトの通風状態の正常・異常を判定する第１判定手段と、該ファン作動中の該差圧センサの出力値が第２判定値以上であるか否かに応じて該チューブ及び該ダクトの接続状態の正常・異常を判定する第２判定手段とを備えた燃焼装置、その調整方法及び調整用プログラムに関する。
【００１５】
前記課題を解決するための本発明の燃焼装置は、前記ダクトが無風状態であるときの前記差圧センサの出力値に基づく絶対オフセット値、又は該絶対オフセット値に第１所定値が加算された値を、第１判定値として設定する第１判定値設定手段と、運転開始に伴う前記ファンの作動開始前の前記差圧センサの出力値に基づく相対オフセット値に第２所定値が加算された値を、第２判定値として設定する第２判定値設定手段とを備えていることを特徴とする。
【００１６】
また、前記課題を解決するための本発明の燃焼装置の調整方法は、前記ダクトが無風状態であるときの前記差圧センサの出力値に基づく絶対オフセット値、又は該絶対オフセット値に第１所定値が加算された値を、第１判定値として設定し、運転開始に伴う前記ファンの作動開始前の前記差圧センサの出力値に基づく相対オフセット値に第２所定値が加算された値を、第２判定値として設定することを特徴とする。
【００１７】
さらに前記課題を解決するための本発明の燃焼装置の調整用プログラムは、前記ダクトが無風状態であるときの前記差圧センサの出力値に基づく絶対オフセット値、又は該絶対オフセット値に第１所定値が加算された値を、第１判定値として設定する機能と、運転開始に伴う前記ファンの作動開始前の前記差圧センサの出力値に基づく相対オフセット値に第２所定値が加算された値を、第２判定値として設定する機能とをコンピュータに付与することを特徴とする。
【００１８】
本発明によれば、ダクトが無風状態であるときの差圧センサの出力値に基づく絶対オフセット値、又は絶対オフセット値に第１所定値が加算された値が「第１判定値」として設定される。なお、ダクトの「無風状態」は、燃焼装置の設置場所として無風の場所が選択されたり、ダクトが意図的に遮断されることで実現され得る。
【００１９】
第１判定値の設定基準となる絶対オフセット値は、ダクトが無風状態であるときのオフセット値なので、ダクトが開放状態であるときの相対オフセット値に基づいて設定される場合よりも、第１判定値が下方に設定され得る。従って、十分な燃焼用空気が確保されているにも関わらず、差圧センサの出力値が容易に第１判定値以下となり、ダクトの通風状態が異常である（ダクトが閉塞状態である）と誤判定される可能性が抑制される。これにより、ダクトの通風状態の正常・異常の判定精度を向上させ得る。
【００２０】
また、運転開始に伴うファンの作動開始前、すなわち、ダクトが開放状態であり、ファン停止時にダクトに風が流れ込み得るときの差圧センサの出力値に基づく相対オフセット値に第２所定値が加算された値が「第２判定値」として設定される。
【００２１】
第２判定値の設定基準となる相対オフセット値は、当該設定時にファンの運転停止時にダクト内に流れ込む風に応じた値とされるので、ダクトが無風状態である絶対オフセット値に基づいて設定される場合よりも、第２判定値が上方に設定され得る。従って、チューブがダクトに正常に接続されているにも関わらず、差圧センサの出力値が容易に第２判定値以上となり、当該接続状態が異常であると誤判定される可能性が抑制される。これにより、チューブ及びダクトの接続状態の正常・異常の判定精度を向上させ得る。
【００２２】
また、本発明の燃焼装置は、第１判定値設定手段により第１判定値が設定されるとき、前記ダクトを遮断するダンパを備えていることを特徴とする。
【００２３】
本発明によれば、ダンパによりダクトが遮断されることで、当該ダクトの無風状態が容易に実現され得る。
【００２４】
また、本発明の燃焼装置は、第１判定手段により前記ダクトの通風状態が異常であると判定された場合、又は第２判定手段により前記チューブとダクトとの接続状態が異常であると判定された場合、前記バーナの燃焼を禁止する燃焼制御手段を備えていることを特徴とする。
【００２５】
本発明によれば、ダクトの通風状態が異常である（ダクトが閉塞状態である）と判定され、バーナに供給される燃焼用空気が不足する可能性が高い場合にバーナの燃焼が禁止されるので、バーナの不完全燃焼が回避され得る。また、チューブとダクトとの接続状態が異常であると判定され、ダクトが閉塞状態であるか否かが差圧センサの出力値に基づいて正確に判定され得ない可能性が高い場合にバーナの燃焼が禁止されるので、ダクトが閉塞状態である場合のバーナの不完全燃焼が回避され得る。
【００２６】
前記のように第１判定値が絶対オフセット値に基づいて設定され、第２判定値が相対オフセット値に基づいて設定されている。すなわち、第１判定値が相対オフセット値に基づいて設定される場合よりも下方にスライドして設定され、第２判定値が絶対オフセット値に基づいて設定される場合よりも上方にスライドして設定され得る。このため、差圧センサの出力値に関して、バーナの燃焼が禁止されずに燃焼装置が運転し得る領域が拡大され、不要にバーナの燃焼が禁止される事態が回避され得る。
【００２７】
さらに本発明の燃焼装置によれば、第１判定手段により前記ダクトの通風状態が異常であると判定された場合、又は第２判定手段により前記チューブとダクトとの接続状態が異常であると判定された場合、第１又は第２判定手段による判定結果を報知する報知手段を備えていることを特徴とする。
【００２８】
本発明によれば、ダクトの通風状態が異常であるとの判定結果や、チューブとダクトとの接続状態が異常であるとの判定結果が、報知手段によって燃焼装置の使用者等に報知され得る。これにより、ダクトの点検等、燃焼装置のメンテナンスを使用者等に促すことができる。
【発明を実施するための最良の形態】
【００２９】
本発明の燃焼装置の実施形態について図面を用いて説明する。
【００３０】
図１は本発明の燃焼装置の一実施形態としての温風暖房装置の構成説明図であり、図２は本発明の燃焼装置の一実施形態としての温風暖房装置の機能説明図であり、図３は第１判定値の設定方法の説明図であり、図４は第２判定値の設定方法の説明図である。
【００３１】
図１に示す温風暖房装置はバーナ１０と、バーナ１０の燃焼用空気等が流れるダクト２０と、ハウジングＨの内部に形成され、バーナ１０の燃焼により生じる温風等が流れる送風路３０と、操作ユニット４０と、バーナ１０の燃焼等を制御する制御ユニット（燃焼制御手段）５０とを備えている。
【００３２】
バーナ１０にはハウジングＨの外部から配管されたガス管６０が接続されている。ガス管６０には第１電磁弁６１、第２電磁弁６２及びガス比例弁６３が設けられている。バーナ１０の近傍には点火電極１１と、バーナ１０の燃焼状態を検知するためのフレームロッド１２とが設けられている。
【００３３】
ダクト２０は吸気ダクト２１と、バーナ１０が収容された燃焼室２３と、バーナ１０の燃焼熱を送風路３０を流れる空気に伝える熱交換器２４と、排気ダクト２２とが順に接続されることで構成されている。
【００３４】
吸気ダクト２１には燃焼ファン（本発明の「ファン」に相当する。）７１が設けられている。燃焼ファン７１の作動により、吸気ダクト２１を通じて室外からバーナ１０に燃焼用空気が供給される。また、燃焼ファン７１の作動により、排気ダクト２２を通じてバーナ１０の燃焼排気が室外に排出される。
【００３５】
燃焼ファン７１より上流で、オリフィス８０が少なくとも吸気ダクト２１の一部と一体成形されている。また、オリフィス８０の上流側及び下流側には可撓性のチューブ８１が接続されている。さらにチューブ８１を介してオリフィス８０の上流側及び下流側における吸気ダクト２１の差圧に応じた信号を出力する差圧センサ８２が設けられている。
【００３６】
送風路３０には対流ファン７２が設けられている。対流ファン７２の作動により、ハウジングＨの背面に設けられた吸気口３１から送風路３０に室内空気が取り込まれ、ハウジングＨの前面に設けられた排気口３２から温風が室内に供給される。
【００３７】
操作ユニット４０は第１スイッチ４１と、第２スイッチ４２と、第１表示ランプ４３と、第２表示ランプ４４と、運転スイッチ４５とを備えている。また、図示しないが、操作ユニット４０は室内温度等を設定するための操作スイッチや、設定室内温度や温風暖房機の運転状態等を表示する表示パネルや表示ランプを備えている。
【００３８】
制御ユニット５０はＣＰＵ、ＲＯＭ、ＲＡＭ等により構成され、第１判定値設定ユニット５１と、第２判定値設定ユニット５２と、第１判定ユニット５３と、第２判定ユニット５４と、記憶装置５５を備えている。
【００３９】
第１判定値設定ユニット５１は吸気ダクト２１が無風状態であるときの差圧センサ８２の出力値に基づく「絶対オフセット値」、又は絶対オフセット値に第１所定値（＞０）が加算された値を、「第１判定値」として設定する。ここで、第１判定値は、ダクト２０の通風状態が正常であるか異常であるかを判定するためのものである。
【００４０】
第２判定値設定ユニット５２は運転スイッチ４１がＯＮ操作された後、燃焼ファン７１が作動を開始する前の差圧センサ８２の出力値に基づく「相対オフセット値」に第２所定値（＞第１所定値）が加算された値を「第２判定値」として設定する。ここで、第２判定値は、オリフィス８０の下流側におけるチューブ８１と吸気ダクト２１との接続状態が正常であるか異常であるかを判定するためのものである。
【００４１】
第１判定ユニット５３は燃焼ファン７１の作動中の差圧センサ８２の出力値が、第１判定値設定ユニット５１により設定された第１判定値以下であるか否か（又は第１判定値を下回ったか否か）に応じて、ダクト２０の通風状態が正常であるか異常であるかを判定する。
【００４２】
第２判定ユニット５４は運転スイッチ４５がＯＮ操作され、燃焼ファン７１が作動を開始した後の差圧センサ８２の出力値が、第２判定値設定ユニット５２により設定された最新の第２判定値以上であるか否か（又は第２判定値を超えたか否か）に応じて、チューブ８１と吸気ダクト２１との接続状態が正常であるか異常であるかを判定する。
【００４３】
記憶装置５５はＥＥＰＲＯＭやＲＡＭなどにより構成され、「第１所定値」や「第２所定値」、さらには第１判定値設定ユニット５１により設定された最新の「第１判定値」や、第２判定値設定ユニット５２により設定された最新の「第２判定値」を記憶する。
【００４４】
さらに制御ユニット５０は、第１判定ユニット５３により「吸気ダクト２１又は排気ダクト２２の通風状態が異常である」と判定された場合や、第２判定ユニット５４により「チューブ８１と吸気ダクト２１との接続状態が異常である」と判定された場合、操作ユニット４０の表示パネル等を通じて当該判定結果を報知するように構成されている。また、制御ユニット５０は、第１判定ユニット５３により「吸気ダクト２１又は排気ダクト２２の通風状態が異常である」と判定された場合や、第２判定ユニット５４により「チューブ８１と吸気ダクト２１との接続状態が異常である」と判定された場合、バーナ１０の燃焼を禁止するように構成されている。
【００４５】
前記構成の温風暖房装置の基本的な作動について図２を用いて説明する。
【００４６】
まず、運転停止状態から運転スイッチ４５がＯＮ操作されると、第２判定値が設定される（Ｓ１）。続いて、バーナ１０の点火に先立ち、コントローラ５０により燃焼ファン７１が所定回転数で作動開始させられる（Ｓ２）。これにより、空気が室外から吸気ダクト２１に吸入され、排気ダクト２２から室外に排出される。
【００４７】
次に、差圧センサ８２の出力値が、記憶装置５５により記憶されている第１判定値以下であるか否かに応じて、第１判定ユニット５３によりダクト２０の通風状態が正常であるか異常であるかが判定される（Ｓ３）。差圧センサ８２の出力値が第１判定値以下である場合、ダクト２０の通風状態が異常である、すなわち、ダクト２０が閉塞状態であると判定される。
【００４８】
また、差圧センサ８２の出力値が、記憶装置５５により記憶されている第２判定値以上であるか否かに応じて、第２判定ユニット５４によりチューブ８１及び吸気ダクト２１の接続状態が正常であるか異常であるかが判定される（Ｓ４）。差圧センサ８２の出力値が第２判定値以上である場合、チューブ８１の接続状態が異常であると判定される。
【００４９】
第１判定ユニット５３により「吸気ダクト２１又は排気ダクト２２の通風状態が正常である」と判定され（Ｓ３でＹＥＳ）、且つ、第２判定ユニット５４により「チューブ８１の接続状態が正常である」と判定された場合（Ｓ４でＹＥＳ）、制御ユニット５０により温風暖房運転が開始される（Ｓ５）。
【００５０】
具体的にはまず、第１電磁弁６１及び第２電磁弁６２が開弁される。また、点火電極１１によりガス管６０からバーナ１０に供給される燃料ガスが点火され、バーナ１０の燃焼が開始させられる。さらに対流ファン７２が作動開始される。これにより吸入口３１から送風路３０に室内空気が吸入され、この空気が熱交換器２４で昇温されて温風となり、送風路３０から排気口３２を介して室内に温風が排出される。このとき、フレームロッド１２によりバーナ１０の燃焼状態が検知され、この燃焼状態等に基づき、制御ユニット５０によりガス比例弁６３の開度等が制御される。
【００５１】
一方、第１判定ユニット５３により「吸気ダクト２１又は排気ダクト２２の通風状態が異常である」と判定された場合（Ｓ３でＮＯ）や、第２判定ユニット５４により「チューブ８１と吸気ダクト２１との接続状態が異常である」と判定された場合（Ｓ４でＮＯ）、制御ユニット５０により表示ランプ（図示略）等により当該判定結果が報知される（Ｓ６）。また、この場合、制御ユニット５０により温風暖房運転が禁止される（Ｓ７）。具体的には、第１電磁弁６１及び第２電磁弁６２の開弁、さらにはバーナ１０の燃焼が禁止される。これにより、ダクト２０の閉塞に起因する燃焼用空気の不足によってバーナ１０の不完全燃焼が起きる事態が確実に防止される。
【００５２】
続いて第１判定値の設定方法について図３を用いて説明する。第１判定値はダクト２０の通風状態が正常であるか異常であるか（ダクト２０が閉塞状態であるか）を判定するために用いられる（図２Ｓ３参照）。
【００５３】
まず、工場等から出荷前の温風暖房装置が無風状態の場所に設置され、ダクト２０の無風状態が実現された上で、温風暖房装置のプラグがコンセントに差し込まれる。このとき、第１判定値設定ユニット５１により記憶装置５５からオフセット値が読み出され（Ｓ１０１）、オフセット値が正常範囲内にあるか否かが判定される（Ｓ１０２）。オフセット値が正常範囲内にあると判定された場合（Ｓ１０２でＹＥＳ）、運転停止状態が維持される。
【００５４】
一方、記憶装置５５によりオフセット値が記憶されていない初期状態では、第１判定値設定ユニット５２によりオフセット値が正常範囲から外れていると判定され（Ｓ１０２でＮＯ）、第１表示ランプ４３が点滅させられる（Ｓ１０３）。第１表示ランプ４３の点滅により、絶対オフセット値、さらには第１判定値の設定が必要であることが報知される。
【００５５】
第１設定スイッチ４１がＯＮ操作されることで（Ｓ１０４でＹＥＳ）、ガス種や絶対オフセット値等が設定され得る状態となる（Ｓ１０５〜）。
【００５６】
必要に応じてガス種が設定された後（Ｓ１０５）、第１判定値設定ユニット５１により絶対オフセット値が設定される（Ｓ１０６）。具体的には差圧センサ８２の時系列的な出力値が、第１判定値設定ユニット５１により平均化処理されることで絶対オフセット値が設定される。
【００５７】
また、第１判定値設定ユニット５１により絶対オフセット値が正常範囲内にあるか否かが判定され（Ｓ１０７）、さらにオフセット設定の基礎となった時系列的な出力値が全て正常範囲内にあるか否かが判定される（Ｓ１０８）。絶対オフセット値が正常範囲内にあると判定され（Ｓ１０７でＹＥＳ）、さらに絶対オフセット値設定の基礎となった時系列的な出力値が全て正常範囲内にあると判定された場合（Ｓ１０８でＹＥＳ）、第１判定値設定ユニット５１により第２表示ランプ４４が点滅させられる（Ｓ１０９）。第２表示ランプ４４の点滅により、ガス種又は絶対オフセット値及びガス種が記憶装置５５に書き込まれる状態であることが報知される。
【００５８】
ここで第１設定スイッチ４１がＯＮ操作されると（Ｓ１１０でＹＥＳ）、先に設定されたガス種（Ｓ１０５参照）が第１判定値設定ユニット５１により記憶装置５５に書き込まれる（Ｓ１１３）。
【００５９】
また、第１設定スイッチ４１がＯＮ操作されず（Ｓ１１０でＮＯ）、第２設定スイッチ４２が（２秒間等の所定時間にわたり）ＯＮ操作されると（Ｓ１１１でＹＥＳ）、第１判定値設定ユニット５１により絶対オフセット値（Ｓ１０６参照）が記憶装置５５に書き込まれるとともに（Ｓ１１２）、ガス種（Ｓ１０５参照）も記憶装置５５に書き込まれる（Ｓ１１３）。
【００６０】
さらに第１判定値設定ユニット５１により記憶装置５５から絶対オフセット値が読み出され（Ｓ１１４）、この絶対オフセット値が正常範囲内にあるか否かが判定される（Ｓ１１５）。
【００６１】
絶対オフセット値が正常範囲内にあると判定された場合（Ｓ１１５でＹＥＳ）、第１判定値設定ユニット５１により、絶対オフセット値そのもの、又は絶対オフセット値に記憶装置５５により記憶されている第１所定値（＞０）が加算された値が、第１判定値として設定される（Ｓ１１６）。なお、第１所定値が適宜調節されることで、第１判定値が可変的に設定されてもよい。また、このとき、第１判定値が記憶装置５５に書き込まれてもよい。
【００６２】
一方、絶対オフセット値が正常範囲から外れていると判定された場合（Ｓ１１５でＮＯ）、第１表示ランプ４３の点滅等の処理が再実行される（Ｓ１０３〜Ｓ１１５参照）。
【００６３】
絶対オフセット値が記憶装置５５に書き込まれた後（Ｓ１１２）、プラグがコンセントに差し込まれても、記憶装置５５から読み出されたオフセットは正常範囲内にあるので（Ｓ１０２）、第１判定値は原則として再度設定されない。
【００６４】
次に、第２判定値の設定方法について図４を用いて説明する。第２判定値はチューブ８１と吸気ダクト２１との接続状態が正常であるか異常であるかを判定するために用いられる（図２Ｓ３参照）。第２判定値は、前述のように第１判定値が設定された温風暖房装置が室内に設置された後、温風暖房運転が開始されるたびに設定される。
【００６５】
まず運転スイッチ４５がＯＮ操作されると、燃焼ファン７１の作動開始前に第２判定値設定ユニット５２により相対オフセット値が設定される（Ｓ２０１）。具体的には、差圧センサ８２の時系列的な出力値が、第２判定値設定ユニット５２により平均化処理されることで相対オフセット値が設定される。
【００６６】
絶対オフセット値がダクト２０が無風状態であるときに設定されているのに対して、相対オフセット値は、ダクト２０が開放状態であり、燃焼ファン７１の作動とは無関係にダクト２０に風が吹き込み得る状態で設定される。従って、相対オフセット値は、絶対オフセット値より高くなり得る。
【００６７】
続いて、第２判定値設定ユニット５２により、相対オフセット値に第２所定値（＞第１所定値）が加算された値が第２判定値として設定される（Ｓ２０２）。なお、第２所定値が適宜調節されることで、第２判定値が可変的に設定されてもよい。また、このとき、第２判定値が記憶装置５５に書き込まれてもよい。
【００６８】
前記温風暖房装置によれば、ダクト２０が無風状態であるときの差圧センサ８２の出力値に基づく絶対オフセット値、又は絶対オフセット値に第１所定値が加算された値が「第１判定値」として設定される（図３Ｓ１０１〜１１６）。
【００６９】
第１判定値の設定基準となる絶対オフセット値は、ダクト２０が無風状態であるときのオフセット値なので、ダクト２０が開放状態であるときの相対オフセット値に基づいて設定される場合よりも、第１判定値が下方に設定され得る。従って、十分な燃焼用空気が確保されているにも関わらず、差圧センサ８２の出力値が容易に第１判定値以下となり、ダクト２０の通風状態が異常である（ダクト２０が閉塞状態である）と誤判定される可能性が抑制される。これにより、ダクト２０の通風状態の正常・異常の判定精度を向上させ得る。
【００７０】
また、運転開始に伴う燃焼ファン７１の作動開始前、すなわち、ダクト２０が開放状態であり、燃焼ファン７１の停止時にダクト２０に風が流れ込み得るときの差圧センサ８２の出力値に基づく相対オフセット値に第２所定値が加算された値が「第２判定値」として設定される（図４Ｓ２０１〜２０２）。
【００７１】
第２判定値の設定基準となる相対オフセット値は、当該設定時に燃焼ファン７１の運転停止時にダクト２０内に流れ込む風に応じた値とされるので、ダクト２０が無風状態であるときの絶対オフセット値に基づいて設定される場合よりも、第２判定値が上方に設定され得る。従って、チューブ８１がダクト２０に正常に接続されているにも関わらず、差圧センサ８２の出力値が容易に第２判定値以上となり、当該接続状態が異常であると誤判定される可能性が抑制される。これにより、チューブ８１及びダクト２０の接続状態の正常・異常の判定精度を向上させ得る。
【００７２】
さらに、前記のように第１判定値が相対オフセット値に基づいて設定される場合よりも下方にスライドして設定され、第２判定値が絶対オフセット値に基づいて設定される場合よりも上方にスライドして設定され得る。このため、差圧センサ８２の出力値に関して、温風暖房運転が継続し得る領域が拡大され、不要にバーナ１０の燃焼が禁止される事態（図２Ｓ７参照）が回避され得る。
【００７３】
なお、前記実施形態では燃焼装置が温風暖房装置であったが、他の実施形態として燃焼装置が給湯装置等、他の燃焼装置であってもよい。
【００７４】
前記実施形態ではオリフィス８０が燃焼ファン７１の上流で吸気ダクト２１に設けられたが、他の実施形態としてオリフィス８０が燃焼ファン７１の下流で吸気ダクト２１に設けられてもよく、オリフィス８０が排気ダクト２２に設けられてもよい。
【００７５】
前記実施形態では差圧センサ８２の出力値が平均化処理されることで「絶対オフセット値」、「相対オフセット値」が設定されたが、他の実施形態として差圧センサ８２の出力値そのものが「絶対オフセット値」、「相対オフセット値」として設定されてもよい。
【００７６】
前記実施形態では無風の場所に温風暖房装置が設置されることで吸気ダクト２１等の「無風状態」が実現されたが、他の実施形態として吸気ダクト２１や排気ダクト２２が意図的に遮断されることで「無風状態」が実現されてもよい。例えば、ダンパ（図示略）が設けられ、ダンパにより吸気ダクト２１等が遮断されることで「無風状態」が実現され、当該無風状態における差圧センサ８２の出力値に基づき第１判定値が設定されてもよい。
【００７７】
前記実施形態ではダクト２０の通風状態判定後、チューブ８１の接続状態が判定されたが（図２Ｓ３、Ｓ４参照）、他の実施形態として判定の順番が逆であってもよい。
【００７８】
前記実施形態ではダクト２０の通風状態が異常であるとの判定結果と、チューブ８１の接続状態が異常であるとの判定結果との両方が報知されたが（図２Ｓ３、Ｓ４、Ｓ６参照）、他の実施形態として当該２つの判定結果のうち一方のみが報知されてもよい。
【００７９】
前記実施形態では第１及び第２判定値がそれぞれ温風暖房装置に設けられた第１判定値ユニット５１及び第２判定値ユニット５２により設定されたが（図３Ｓ１０１〜Ｓ１１６、図４Ｓ２０１〜Ｓ２０２参照）、他の実施形態として、温風暖房装置の調整用プログラムがインストールされたコンピュータ（図示略）により、当該コンピュータと温風暖房装置との無線又は有線通信を利用して第１及び第２判定値が設定され、当該判定値が記憶装置５５に書き込まれてもよい。
【００８０】
この場合、温風暖房装置の調整用プログラムにより、ダクト２０が無風状態であるときの差圧センサ８２の出力値に基づく絶対オフセット値、又は絶対オフセット値に第１所定値が加算された値を、第１判定値として設定する機能と、運転開始に伴う燃焼ファン７１の作動開始前の差圧センサ８２の出力値に基づく相対オフセット値に第２所定値が加算された値を、第２判定値として設定する機能とが当該コンピュータに付与される。
【００８１】
前記実施形態ではオリフィス８０の下流側におけるチューブ８１の接続状態が正常であるか異常であるかを判定するための第２判定値が設定されたが、他の実施形態としてオリフィス８０の上流側、又は上流側及び下流側におけるチューブ８１の接続状態が正常であるか異常であるかを判定するための別個の判定値が設定されてもよい。
【図面の簡単な説明】
【００８２】
【図１】本発明の燃焼装置の一実施形態としての温風暖房装置の構成説明図
【図２】本発明の燃焼装置の一実施形態としての温風暖房装置の機能説明図
【図３】第１判定値の設定方法の説明図
【図４】第２判定値の設定方法の説明図
【符号の説明】
【００８３】
１０‥バーナ、２０‥ダクト、２１‥吸気ダクト、２２‥排気ダクト、４０‥操作ユニット、４１‥第１設定スイッチ、４２‥第２設定スイッチ、４５‥運転スイッチ、５０‥制御ユニット、５１‥第１判定値設定ユニット、５２‥第２判定値設定ユニット、５３‥第１判定ユニット、５４‥第２判定ユニット、７１‥燃焼ファン（ファン）、８０‥オリフィス、８１‥チューブ、８２‥差圧センサ
【図１】
2005083678.tif 000003
【図２】
2005083678.tif 000004
【図３】
2005083678.tif 000005
【図４】
2005083678.tif 000006